(57)【特許請求の範囲】
【請求項１】
フィルタ部材とフィルタケースとを備え、
前記フィルタ部材が、濾材と、その濾材を保持しかつ前記フィルタケース内に樹脂の溶着によりシールドされる保持部材とにより構成されている
燃料フィルタにおいて、
前記フィルタ部材が断面Ｃ型に形成され、
前記保持部材は、非導電性樹脂により形成され、かつ前記フィルタ部材の側面に対応する側面部、そのフィルタ部材の上面に対応する上面部、そのフィルタ部材の底面に対応する底面部を有し、
前記保持部材の側面部、上面部及び底面部には、それぞれ前記フィルタケースに樹脂の溶着によりシールドするための突起リブが形成され、
前記フィルタケースに前記保持部材の各突起リブが溶着されている
ことを特徴とする燃料フィルタ。
【請求項２】
前記フィルタケースは、樹脂により形成され、かつ前記保持部材の側面部、上面部及び底面部の各突起リブにそれぞれ対応する各突起リブを有し、
前記フィルタケースの各突起リブと前記保持部材の各突起リブとの突起リブ同士が溶着されている
ことを特徴とする請求項１に記載の燃料フィルタ。
【発明の詳細な説明】
【０００１】
【発明の属する技術分野】
本発明は、燃料ポンプによって燃料タンクから吐出された燃料中の異物を除去する燃料フィルタに関する。
【０００２】
【従来の技術】
従来、燃料中の異物を除去する燃料フィルタは、濾材及び金属等の導電性材料によって形成され、濾材を保持する保持部材とにより構成されるフィルタ部材を備えている。そして、このフィルタ部材は、燃料流入口及び燃料流出口を有するフィルタケース内にシールドされて取り付けられている。
【０００３】
【発明が解決しようとする課題】
燃料フィルタ内を燃料が通過する際には、濾材と燃料間の摩擦帯電、フィルタケースと燃料間の流動帯電等によって静電気が発生する。また、濾材を通過した燃料と鉛直方向に保持部材が配置されている場合には、燃料が保持部材に衝突することによっても静電気が発生する。
従来の燃料フィルタの保持部材は導電性材料によって形成されているため、保持部材に蓄積された静電気が放電する時に火花放電等が発生するという問題点があった。
そこで、本発明は、前記従来技術の問題点を解決するために創案されたものであり、簡単な構成で、容易に燃料が燃料フィルタ内を通過する際に発生する静電気によって火花放電等が発生するのを防止することができる燃料フィルタを提供することを課題とする。
【０００４】
【課題を解決するための手段】
前記課題を解決するために、請求項１に記載の発明は、
フィルタ部材とフィルタケースとを備え、
前記フィルタ部材が、濾材と、その濾材を保持しかつ前記フィルタケース内に樹脂の溶着によりシールドされる保持部材とにより構成されている
燃料フィルタにおいて、
前記フィルタ部材が断面Ｃ型に形成され、
前記保持部材は、非導電性樹脂により形成され、かつ前記フィルタ部材の側面に対応する側面部、そのフィルタ部材の上面に対応する上面部、そのフィルタ部材の底面に対応する底面部を有し、
前記保持部材の側面部、上面部及び底面部には、それぞれ前記フィルタケースに樹脂の溶着によりシールドするための突起リブが形成され、
前記フィルタケースに前記保持部材の各突起リブが溶着されている
ことを特徴とする燃料フィルタである。
請求項１に記載の燃料フィルタによれば、簡単な構成で、容易に燃料が燃料フィルタ内を通過する際に発生する静電気により火花放電等が発生するのを防止することができる。
また、フィルタケースに、断面Ｃ型のフィルタ部材における保持部材の側面部の側面側突起リブ、上面部の上面側突起リブ及び底面部の底面側突起リブが溶着されることにより、フィルタケースとフィルタ部材との間をシールドすることができる。このため、保持部材とフィルタケースとの間にシールド部材を設ける必要がないため構成が簡単になり、また、保持部材の各突起リブによりフィルタケースに容易に樹脂の溶着を行うことができるので安価に製造することができる。
また、フィルタ部材が断面Ｃ型に形成されることにより、そのフィルタ部材を収納するフィルタケースを断面Ｄ型やＣ型等に形成することができる。このため、フィルタケースの円筒形状からカットされた部分に付属品を組付けることができ、付属部品を組付けた燃料フィルタを既存のタンク穴から燃料タンク内に挿入することができる。
また、請求項２に記載の発明は、
前記フィルタケースは、樹脂により形成され、かつ前記保持部材の側面部、上面部及び底面部の各突起リブにそれぞれ対応する各突起リブを有し、
前記フィルタケースの各突起リブと前記保持部材の各突起リブとの突起リブ同士が溶着されている
ことを特徴とする請求項１に記載の燃料フィルタである。
請求項２に記載の燃料フィルタによれば、フィルタケースの各突起リブと保持部材の各突起リブとの突起リブ同士が溶着されることにより、フィルタケースとフィルタ部材との間をシールドすることができる。
【０００５】
【発明の実施の形態】
以下に、本発明の実施の形態を図面を用いて説明する。
図１及び図２は本発明の一実施の形態の燃料フィルタを示す図であり、図１は斜視図、図２は平面図である。
図１及び図２に示す燃料フィルタ１０は、フィルタ部材２０、（単に、ケースともいう。）３０、カバー４０により構成されている。
フィルタ部材２０は、非導電性樹脂によって形成された保持部材、保持部材により保持されている濾材２８により構成され、断面がＣ型に形成されている。
ケース３０は、導電性樹脂あるいは非導電性樹脂すなわち樹脂によって断面がＤ型に形成され、カバー４０は導電性樹脂あるいは非導電性樹脂すなわち樹脂によって断面がＣ型に形成されている。このケース３０及びカバー４０によって、フィルタ部材２０を収納するフィルタケースが構成されている。
フィルタ部材２０は、保持部材の側面部、上面部、底面部が、ケース３０及びカバー４０すなわちフィルタケースにシールドされて取り付けられている。これにより、フィルタケース内にはフィルタ部材２０の内周側及び外周側に燃料流入室及び燃料流出室が形成されている。本実施の形態では、フィルタ部材２０の外周側に燃料流入室が形成され、内周側に燃料流出室が形成されている。
ケース３０には、燃料ポンプ挿入部３６が形成されているとともに、燃料ポンプ挿入部３６に挿入された燃料ポンプの吐出口が取り付けられる流入側取付孔が形成されている。
カバー４０には、燃料流入室に連通される燃料流入口４２、燃料流出室に連通される燃料流出口４３、流入側取付孔と燃料流入口４２とを連通する通路４４、燃料流出口４３と連通する流出側取付孔４５が形成されている。流出側取付孔４５には、燃料供給パイプやプレッシャーレギュレータが取り付けられる。なお、燃料流入口４２及び燃料流出口４３を取り付けるスペースを確保するために、フィルタ部材２０とカバー４０とのシールド部２７はオフセットされている。
【０００６】
フィルタ部材２０の構成を図３により詳述する。
フィルタ部材２０は、保持部材と、保持部材により保持されている濾材２８により構成されている。濾材２８は、例えばシート状の濾紙を菊花形に折り曲げて形成されている。
保持部材は、非導電性樹脂により形成され、側面部２１、上面部２２、底面部２３、内周面部２４を有している。
側面部２１には、フィルタ部材２０をケース３０の収納部３２に位置決めするための係合部２５が形成されているとともに、シールド用の側面側突起リブ２６が形成されている。
また、上面部２２にはシールド用の上面側突起リブ２７が形成されており、底面部２３には底面側突起リブ（図示せず）が形成されている。上面側突起リブ２７は、上面部２２にオフセットして形成されている。
なお、内周面部２４は燃料が通過可能に構成されている。この内周面部２４は省略することもできる。また、内周面部２４に代えて外周面部を設けてもよい。
静電気の発生量は、燃料が濾材を通過する速度及び燃料と濾材との接触時間によって変化する。このため、濾材の厚さ方向に燃料が通過するように濾材２８を配置し、燃料が濾材２８と接触する時間を短くして静電気の発生量を減少させるのが好ましい。
【０００７】
ケース３０の構成を図４により詳述する。
ケース３０の本体部３１には、フィルタ部材２０を収納する収納部３２が形成されている。この収納部３２には、挿入ガイド３３、内側面側突起リブ３４及び内底面側突起リブ３５が形成されている。挿入ガイド３３は、フィルタ部材２０を収納部３２に収納する際に、フィルタ部材２０の係合部２５をガイドして収納部３２内の所定位置に位置決めするためのものである。内側面側突起リブ３４及び内底面側突起リブ３５は、収納部３２にフィルタ部材２０が位置決めされた時に、フィルタ部材２０の側面側突起リブ２６及び底面側突起リブと当接する位置に形成されている。係合部２５と挿入ガイド３３によって、フィルタ部材２０をフィルタケース内に位置決めして収納する位置決め部が構成されている。なお、位置決め部の構成は種々変更可能である。
さらに、本体部３１には、内側に燃料ポンプ挿入部３６が形成されているとともに、燃料ポンプ挿入部３６に挿入された燃料ポンプの吐出口が取り付けられる流入側取付孔３７が形成されている。
【０００８】
カバー４０の構成を図５により説明する。なお、図５ａは斜視図であり、図５ｂは裏面から見た図である。
カバー４０の本体部４１には、収納部３２に収納されたフィルタ部材２０によって形成される燃料流入室３８に連通する燃料流入口４２、燃料流出室３９に連通する燃料流出口４３が形成されている。
また、燃料流入口４２と流入側取付孔３７を連通する通路４４が形成されている。
また、燃料流出口４３と連通され、燃料供給パイプやプレッシャーレギュレータが取り付けられる流出側取付孔４５が形成されている。
さらに、本体部４１の裏面には、シールド用の内上面側突起リブ４６が形成されている。本体部４１の裏面には、収納室３２の開口部をシールドする外周側突起リブも形成されている。
【０００９】
次に、本実施の形態の燃料フィルタの製造方法を説明する。
まず、フィルタ部材２０の側面側突起リブ２６、底面側突起リブ及びケース３０の内側面側突起リブ３４、内底面側突起リブ３５をＬ形状の熱板等によって、例えば２６０度で１０秒間加熱する。
加熱終了後、直ちに、図６に示すようにフィルタ部材２０をケース３０の収納部３２内に挿入する。この時、フィルタ部材２０の係合部２５とケース３０の挿入ガイド３３とを係合させることによって、フィルタ部材２０は、フィルタ部材２０の側面側突起リブ２６及び底面側突起リブがケース３０の内側面側突起リブ３４及び内底面側突起リブ３５に当接する所定位置までガイドされる。
そして、フィルタ部材２０の側面側突起リブ２６及び底面側突起リブをケース３０の内側面側突起リブ３４及び内底面側突起リブ３５に押し当てた状態で、例えば１０秒間保持する。これにより、フィルタ部材２０の側面側突起リブ２６及び底面側突起リブとケース３０の内側面側突起リブ３４及び内底面側突起リブ３５とが溶着される。
次に、カバー４０の裏面の内上面側突起リブ４５、外周側突起リブ、フィルタ部材２０の上面側突起リブ２７、ケース３０の開口部外周を、例えば２６０度で１０秒間加熱する。
加熱終了後、直ちにカバー４０をケース３０の開口部に位置決めする。
そして、カバー４０をケース３０に押し当てた状態で、例えば１０秒間保持する。これにより、カバー４０の外周側突起リブとケース３０の開口部外周及びフィルタ部材２０の上面側突起リブ２７とカバー４０の内上面側突起リブ４５とが溶着される。
以上のようにして、フィルタ部材２０がケース３０及びカバー４０、すなわちフィルタケースにシールドされた状態で取り付けられる。これにより、収納部３２がフィルタ部材２０によって分離され、外周側の燃料流入室３８及び内周側の燃料流出室３９が形成される。また、フィルタ部材２０をケース３０及びカバー４０に樹脂の溶着によって取り付けるため、シールド部材が不要であり、部品点数が少なくなるとともに、取り付け作業が容易となる。
【００１０】
前記実施の形態では、フィルタ部材２０、ケース３０及びカバー４０にシールド用の突起リブを設け、突起リブを溶着させてフィルタ部材２０をフィルタケースに取り付けたが、シールドゴム等のシールド部材を用いてフィルタ部材をフィルタケースに取り付ける関連技術がある。この関連技術を図７、図８に示す。なお、図７はフィルタ部材５０にシールドゴム６０を取り付けた図であり、図８はシールドゴム６０を用いてフィルタ部材２０をフィルタケースに取り付けた燃料フィルタの平面図である。
図７において、フィルタ部材５０は、非導電性樹脂によって形成され、側面部５１、上面部５２及び底面部５３を有する保持部材と、保持部材により保持されている濾材５８により構成されている。
一方、シールドゴム６０は、直線状に形成され、フィルタ部材５０の側面部５１に取り付けられる側面部材６１と、Ｃ型に形成され、フィルタ部材５０の上面部５２に取り付けられる上面部材６２とにより構成されている。
【００１１】
このようなシールドゴム６０を用いてフィルタ部材５０をフィルタケースに取り付けるには、先ずシールドゴム６０の側面部材６１及び上面部材６２をフィルタ部材５０の側面部５１及び上面部５２に接着する。
次に、シールドゴム６０を取り付けたフィルタ部材５０をケース３０の収納部に収納し、シールドゴム６０の側面部材６１及びフィルタ部材５０の底面部５３をケース３０に接着する。
次に、カバー４０をケース３０の開口部に位置決めし、カバー４０の外周部をケース３０の外周部に溶着等によって接着するとともに、シールドゴム６０の上面部材６２をカバー４０に接着する。
この時、燃料流入口４２及び燃料流出口４３を取り付けるスペースを確保するため、図８に示すように、シールドゴム６０の上面部材６２をフィルタ部材５０の上面部５２にオフセットさせて接着する。
【００１２】
シールドゴムの他の例を図９に示す。
このシールドゴム７０は、フィルタ部材５０の側面部５１、上面部５２、底面部５３にそれぞれ取り付けられる側面部材７１、上面部材７２、底面部材７３により構成されている。
このようなシールド部材７０を用いてフィルタ部材５０をフィルタケースにシールドして取り付けるには、先ずシールドゴム７０の側面部材７１、上面部材７２、底面部材７３をフィルタ部材５０の側面部５１、上面部５２、底面部５３に接着する。
次に、シールドゴム７０を取り付けたフィルタ部材５０をケース３０の収納部に収納し、シールドゴム７０の側面部材７１及び底面部材７３をケース３０に接着する。
次に、カバー４０をケース３０の開口部に位置決めし、カバー４０の外周部をケース３０の外周部に接着するとともに、シールドゴム７０の上面部材７２をカバー４０に接着する。
【００１３】
以上の実施の形態では、フィルタ部材の断面をＣ型に形成しているため、フィタケースの断面をＤ型やＣ型に形成することができる。
フィルタケースの断面をＤ型やＣ型に形成すると、円筒形状からカットされた部分に燃料ゲージやサーミスタ等の付属部品を取り付けることができる。
これにより、付属部品を燃料フィルタに取り付けても外周径が変化しないため、既存のタンク穴から燃料タンク内に挿入することができる。
【００１４】
また、図１０及び図１１に関連技術の円筒状に形成したフィルタ部材を示す。なお、図１０ａ及び図１１ａは平面図、図１０ｂ及び図１１ｂは半断面図である。
図１０に示すフィルタ部材８０は、非導電性樹脂により形成され、内周面部８１、リング状の上面部８２及び底面部８３を有する保持部材と、保持部材により保持されている濾材８５により構成されている。内周面部８１には、燃料を通過させるための軸方向に沿った通過孔８４が形成されている。
また、図１１に示すフィルタ部材９０は、非導電性樹脂により形成され、内周面部９１、リング状の上面部９２及び底面部９３を有する保持部材と、保持部材により保持されている濾材９５により構成されている。内周面部９１には、燃料を通過させるための周方向に沿った通過孔９４が形成されている。
なお、内周面部に形成する通過孔の形状、位置等は適宜変更可能である。
このようなフィルタ部材８０あるいは９０をフィルタケースに取り付けるには、前記したシールド用の突起リブを溶着させて取り付ける方法や、シールドゴムを介して取り付ける方法等を用いることができる。
【００１５】
このように、本発明では、濾材を保持する保持部材を非導電性樹脂によって形成したので、燃料が燃料フィルタ内を通過する際に発生する静電気によって保持部材から火花放電等が発生するのを防止することができる。すなわち、非導電性樹脂は導電性材料に比較して体積抵抗率が高い。これにより、蓄えられた静電気が保持部材より放電される場合、蓄えられた静電気の電圧変化は小さく（エネルギー変化は小さい）、火花放電等が発生する恐れはない。
なお、濾材と燃料間の摩擦帯電、フィルタケースと燃料間の流動帯電、燃料と保持部材との衝突等によって発生した静電気がフィルタケースに溜ることがある。しかしながら、燃料タンク内の燃料残量が多くて燃料とフィルタケースとの接触面積が多い時には、フィルタケースに溜まった静電気は除去される。また、フィルタケースを導電性樹脂等の導電性材料によって形成し、フィルタケースに燃料ポンプ等の導電部材を接触させておけば、フィルタケースに溜まった静電気を導電路を介して放電させることができる。あるいは、フィルタケースを非導電性樹脂によって形成することにより、フィルタケースに溜まった静電気が放電する際の静電気の電圧変化を小さくして火花放電等が発生するのを防止することもできる。
【００１６】
以上の実施の形態では、樹脂の溶着を容易にするために双方に突起リブを形成したが、突起リブは保持部材のみに形成してもよい。
また、フィルタケースは合成樹脂以外の材料で形成してもよい。
また、フィルタ部材やフィルタケースの構造等は種々変更可能である。
【００１７】
【発明の効果】
以上説明したように、本発明の燃料フィルタによれば、簡単な構成で、容易に燃料が燃料フィルタ内を通過する際に発生する静電気によって火花放電等が発生するのを防止することができる。
【図面の簡単な説明】
【図１】本発明の一実施の形態の斜視図である。
【図２】本発明の一実施の形態の平面図である。
【図３】本発明の一実施の形態で用いるフィルタ部材の構成図である。
【図４】本発明の一実施の形態で用いるケースの構成図である。
【図５】本発明の一実施の形態で用いるカバーの構成図である。
【図６】ケース内にフィルタ部材を収納した図である。
【図７】関連技術を示す図である。
【図８】関連技術の平面図である。
【図９】シールドゴムの他の例を示す図である。
【図１０】他の関連技術を示す図である。
【図１１】他の関連技術を示す図である。
【符号の説明】
【符号の説明】
２０  フィルタ部材
２６、２７、３４、３５、４６  突起リブ
２８、５８、８５、９５  濾材
３０  フィルタケース
４０  カバー
４２  燃料流入口
４３  燃料流出口
【図１】
0003562614.tif 000002
【図２】
0003562614.tif 000003
【図３】
0003562614.tif 000004
【図４】
0003562614.tif 000005
【図５】
0003562614.tif 000006
【図６】
0003562614.tif 000007
【図７】
0003562614.tif 000008
【図８】
0003562614.tif 000009
【図９】
0003562614.tif 000010
【図１０】
0003562614.tif 000011
【図１１】
0003562614.tif 000012